(57)【要約】【課題】卓上型の食器洗い機において、キッチンのカウンタートップ等の上に設置した際に左右段差があった場合においても、比較的少ない洗浄水量にて洗浄用ポンプが空気を吸い込むことなく洗浄運転でき、安定した洗浄性能を確保できる食器洗い機を実現する。【解決手段】水位検知手段１９を洗浄槽２の下方で略左右中央に配置したことで、食器洗い機１７を傾斜させて設置したときの洗浄水量の変動を少なく抑えることができるので、必要最低限の洗浄水量で安定した洗浄性能が得られる食器洗い機とすることができる。【選択図】図１
2010017321.tif 000002
【特許請求の範囲】
【請求項１】
食器を収容する洗浄槽と、前記洗浄槽内の底部に溜められる洗浄水の水位を検知する水位検知手段と、洗浄水を食器類に噴射する洗浄ノズルとを備え、前記水位検知手段を、前記洗浄槽の下方で略左右中央に配した食器洗い機。
【請求項２】
水位検知手段を、洗浄槽の下方で略前後中央に配した請求項１に記載の食器洗い機。
【発明の詳細な説明】
【技術分野】
【０００１】
本発明は、洗浄ノズルより食器類に向けて洗浄水を噴射して食器類を洗浄する卓上型の食器洗い機に関するものである。
【背景技術】
【０００２】
従来、この種の食器洗い機は、図３から図６に示すように構成されていた。以下、その構成について説明する。図３から図６に示すように、食器洗い機１は、内部に洗浄槽２が設けられており、この洗浄槽２の底部に排水口３が設けられ、この排水口３の側部に連通したポンプ室にモータ４によって駆動される洗浄ポンプ５が配設され、洗浄ポンプ５により洗浄水を洗浄槽２の内部に循環させるように構成されている。
【０００３】
この循環は、洗浄水が排水口３から洗浄ポンプ５に吸い込まれ、洗浄ポンプ５より洗浄槽２の内底部に配設された洗浄ノズル６に供給され、この洗浄ノズル６から食器類７に向けて噴射され、食器類７を洗浄した後、再び排水口３に戻るという経路で行われる。
【０００４】
洗浄ノズル６と洗浄槽２の底部との間には、洗浄水加熱用のヒータ８が配設されている。また、洗浄ノズル６の上方には、食器類７を整然と配置することで食器類７に対して洗浄水を効果的に噴射し、食器類７の洗浄を効率的に行えるように構成した食器かご９が設置されている。
【０００５】
また、洗浄槽２は前方に開口しており、その前面部には、前方に開閉自在な蓋１０が取り付けられている。排水ポンプ１１は、排水口３から洗浄水を吸い込み、排水ホース１２を通して洗浄水を機外に排出するように構成されている。
【０００６】
洗浄槽２内に溜められる洗浄水は給水ホース１３から供給される。洗浄槽２に連通した水位検知手段１４により所定水位まで洗浄水が供給されたことを検知すると、制御手段１５は給水弁１６を閉じて洗浄水供給を停止する。
【０００７】
従来の卓上型の食器洗い機において、水位検知手段１４は食器洗い機１本体右奥に設置されている。これは回転する洗浄ノズル６の回転軌跡を避けるためであり、かつ、食器洗い機１本体背面中央付近は、排水ホース１２及び給水ホース１３の接続部が設置されているためである（例えば、特許文献１参照）。
【特許文献１】特開２００３−４７５８５号公報
【発明の開示】
【発明が解決しようとする課題】
【０００８】
上記のような構成の従来の食器洗い機では、本体に対して水位検知手段が洗浄槽下方の端部に設けられていたため、本体が傾斜して設置された場合、端部に設けられた水位検知手段近傍の増減差が大きい。例えば、本体が水位検知手段が水平に置かれたときに比べ水位を高く検知してしまうように、傾斜して設置された場合、所定の水位に達していないにも関わらず給水が終了してしまうので、洗浄用ポンプが空気を吸い込む現象が生じることにより洗浄性能が不安定になる場合があった。また、逆に、水位検知手段が検知する水位が低くなるように、本体が傾斜して設置された場合、所定量より多くの水が給水されてしまい、余分な水を使ってしまっていた。
【０００９】
よって、洗浄性能を安定させるために、本体が傾斜して設置された場合にも、所定量の洗浄水量を過不足なく本体内に給水する必要があるという課題があった。
【００１０】
本発明は、上述の課題を解決するため、簡単な構成にて、本体を傾斜させて設置したときの検知水位の変動を少なく抑え、洗浄性能を安定させるための洗浄水量を必要最低限にした食器洗い機を提供することを目的としている。
【課題を解決するための手段】
【００１１】
本発明の食器洗い機は、食器を収容する洗浄槽と、前記洗浄槽内の底部に溜められる洗浄水の水位を検知する水位検知手段と、洗浄水を食器類に噴射する洗浄ノズルとを備え、前記水位検知手段を、前記洗浄槽の下方で略左右中央に配した食器洗い機である。
【００１２】
この構成によると、食器洗い機をキッチンのカウンタートップ等の上に設置した際に左右段差があった場合においても、水位検知手段が検知した水位によって決まる洗浄水供給量が比較的安定するため、比較的少ない洗浄水量にて洗浄用ポンプが空気を吸い込むことなく洗浄運転でき、安定した洗浄性能を確保できる。
【発明の効果】
【００１３】
本発明の食器洗い機によると、卓上型の食器洗い機をキッチンのカウンタートップ等の上に設置した際に左右段差があった場合においても、水位検知手段が検知した水位によって決まる洗浄水供給量が比較的安定するため、洗浄用ポンプが空気を吸い込むことなく洗浄運転でき、より少ない洗浄水量にて安定した洗浄性能を確保できる。
【発明を実施するための最良の形態】
【００１４】
第１の発明は、食器を収容する洗浄槽と、前記洗浄槽内の底部に溜められる洗浄水の水位を検知する水位検知手段と、洗浄水を食器類に噴射する洗浄ノズルとを備え、前記水位検知手段を、前記洗浄槽の下方で略左右中央に配した食器洗い機としたもので、卓上型の食器洗い機をキッチンのカウンタートップ等の上に設置した際に左右段差があった場合においても、水位検知手段が検知した水位によって決まる洗浄水供給量が比較的安定するため、比較的少ない洗浄水量にて洗浄用ポンプが空気を吸い込むことなく洗浄運転でき、安定した洗浄性能を確保できる。
【００１５】
第２の発明は、上記第１の発明において、水位検知手段を、洗浄槽の下方で略前後中央に配した食器洗い機としたもので、卓上型の食器洗い機をキッチンのカウンタートップ等の上に設置した際に前後の段差があった場合においても、比較的少ない洗浄水量にて洗浄用ポンプが空気を吸い込むことなく洗浄運転でき、安定した洗浄性能を確保できる。
【００１６】
以下、本発明の食器洗い機の一実施の形態について、図面を参照して説明する。なお、従来例の食器洗い機と同じ構成要素は同一符号を付して説明を省略する。また、本発明は本実施の形態に限定されるものではない。
【００１７】
（実施の形態１）
図１は本発明の実施の形態１における食器洗い機の側断面図、図２は同食器洗い機の平面断面図である。本実施の形態の食器洗い機１７は、図１および図２に示すように、洗浄槽２内に食器かご９を設けており、この食器かご９に収容した食器類７を洗浄するために、複数の回転洗浄ノズル１８を設けて洗浄液を食器類７に噴射するものである。洗浄槽２内の底部に溜められる洗浄水の水位を検知する水位検知手段１９は洗浄槽２の底面の外側で左右および前後の略中央に配置している。
【００１８】
水位検知手段１９を洗浄槽２の左右および前後の略中央に配置するために、本実施の形態の食器洗い機１７は、洗浄ノズル１８を従来よりも薄型とするとともに、軸部のがたつきを回転に必要な最小限としている。また水位検知手段１９を低背型としている。水位検
知手段１９を水圧による水位検知方式としても低背とすることができる。洗浄ノズル１８から食器類７に向かって噴出する洗浄水の勢い、流量を必要最低限になるよう最適設定することで、洗浄槽２に溜めることが必要な洗浄水量をより少なくすることにより、水位検知手段１９の設置高さをより低くすることも有効である。
【００１９】
以上のように構成した食器洗い機によれば、水位検知手段１９を洗浄槽２の左右および前後の略中央に配置しているため、本実施の形態の食器洗い機１７をキッチンのカウンタートップ上に設置した際に左右あるいは前後の段差があった場合においても、水位検知手段が検知した水位によって決まる洗浄水供給量が比較的安定するため、余分な洗浄水を必要とすることなくして洗浄用ポンプが空気を吸い込むことのない洗浄運転ができ、安定した洗浄性能を確保した食器洗い機とすることができる。
【００２０】
また、水位検知手段１９を、洗浄槽２の下方で略前後中央に配したので、卓上型の食器洗い機をキッチンのカウンタートップ等の上に設置した際に前後の段差があった場合においても、水位検知手段１９が精度良く水位の検知を行うので、比較的少ない洗浄水量にて洗浄用ポンプが空気を吸い込むことなく洗浄運転でき、安定した洗浄性能を確保できる。
【産業上の利用可能性】
【００２１】
本発明の食器洗い機は、洗浄槽内の底部に溜められる洗浄水の水位を検知する水位検知手段を、洗浄槽の下方で略左右中央に配した卓上型の食器洗い機としたことで、卓上型の食器洗い機をキッチンのカウンタートップ上に設置した際に左右段差があった場合においても、水位検知手段が検知した水位によって決まる洗浄水供給量が比較的安定するため、余分な洗浄水を必要とすることなく洗浄用ポンプが空気を吸い込むことなく洗浄運転でき、安定した洗浄性能を確保した食器洗い機とすることができるので、キッチンのカウンタートップ等の上に設置して使用する卓上型の食器洗い機等として有用である。
【図面の簡単な説明】
【００２２】
【図１】本発明の一実施の形態の食器洗い機の側断面図
【図２】同食器洗い機の平面断面図
【図３】従来の食器洗い機の側断面図
【図４】同食器洗い機の排水経路を示す側断面図
【図５】同食器洗い機の給水経路を示す側断面図
【図６】同食器洗い機の平面断面図
【符号の説明】
【００２３】
２  洗浄槽
１７  食器洗い機
１８  洗浄ノズル
１９  水位検知手段
【図１】
2010017321.tif 000003
【図２】
2010017321.tif 000004
【図３】
2010017321.tif 000005
【図４】
2010017321.tif 000006
【図５】
2010017321.tif 000007
【図６】
2010017321.tif 000008